(57)【要約】      （修正有）【課題】紙粉に起因する黒筋、黒点等の画像欠陥を生じないランニング特性に優れた電子写真感光体を備えた画像形成装置を提供する。【解決手段】導電性基体上に、少なくとも電荷発生剤、正孔輸送剤及び電子輸送剤を含むバインダ樹脂により感光層が形成されてなる電子写真感光体の正孔輸送剤が、一般式（１）2005215264.tif 000016 （式中、Ｒ1 ，Ｒ2は水素またはアルキル基を示し、Ｒ3〜 Ｒ6は水素、アルキル基、アリール基、アルコキシ基またはハロゲンを示し、かつＲ1〜Ｒ6のうち少なくとも１つは、脂肪族基である。ｍ、ｎ、ｐおよびｑは１または２である。）である。【選択図】なし【特許請求の範囲】
【請求項１】
導電性基体上に、少なくとも電荷発生剤、正孔輸送剤及び電子輸送剤を含むバインダ樹脂により感光層が形成されてなる電子写真感光体と、該電子写真感光体を帯電させる帯電手段と、帯電された前記電子写真感光体に静電潜像を形成する露光手段と、静電潜像をトナーによって現像すると同時に、前記電子写真感光体の表面に残存するトナーを回収する現像手段と、該現像手段により現像された前記電子写真感光体のトナーを被転写部材に転写させる転写手段とを備える画像形成装置であって、
前記正孔輸送剤が、一般式（１）
【化１】
2005215264.tif 000015
（式中、Ｒ1 ，Ｒ2は同一または異なって水素原子またはアルキル基を示し、Ｒ3 、Ｒ4 、Ｒ5、及びＲ6は同一または異なって、水素原子、置換基を有しても良いアルキル基、置換基を有しても良いアリール基、置換基を有しても良いアルコキシ基またはハロゲン原子を示し、かつＲ1、Ｒ2、Ｒ3、Ｒ4、Ｒ5、およびＲ6のうち少なくとも１つは、炭素数４以上の脂肪族基である。ｍ、ｎ、ｐおよびｑは同一または異なって１または２である。）であることを特徴とする画像形成装置。
【請求項２】
一般式（１）で表される化合物の、前記炭素数４以上の脂肪族基のうち少なくとも１つは、直鎖状のアルキル基であることを特徴とする請求項１記載の画像形成装置。
【請求項３】
前記単層型電子写真感光体において、結着樹脂１００重量部に対して一般式（１）で表される化合物を１０〜１１０重量部の割合で含有することを特徴とする請求項１または請求項２記載の画像形成装置。
【発明の詳細な説明】
【技術分野】
【０００１】
本発明は、画像形成装置に関し、より詳細には、現像同時クリーニング方式を採用し、黒筋、黒点等の画像欠陥を生じないランニング特性に優れた電子写真感光体を備えた画像形成装置に関する。
【背景技術】
【０００２】
電子写真方式を利用した画像形成装置は、感光体を帯電し（主帯電工程）、画像露光して静電潜像を形成し（露光工程）、この静電潜像を現像バイアス電圧が印加された状態でトナー現像し（現像工程）、形成されるトナー像を転写紙に転写し（転写工程）、定着して画像形成を行う。また、感光体上の残留トナーはウレタンブレード等によりクリーニングされ（クリーニング工程）、感光体上の残留電荷はＬＥＤ等により消去される（除電工程）。
電子写真方式を利用した画像形成工程において、感光体ドラムがプラスに帯電される場合は、転写はマイナス帯電となるように印加されている。一方、画像形成を連続運転するときなどに、被転写体（転写紙）からマイナス帯電した紙粉が発生するが、紙粉は転写のマイナス出力が強いほど感光体ドラムに付着しやすくなる。転写が転写ローラ等でドラムに接触するプロセスでは、紙粉が押し当てられて、ドラム上に残り、紙粉取りブラシ等の紙粉除去手段があっても除去が困難であるという問題がある。紙粉の付着は、画像上、黒点あるいは黒筋となって現れることになり、画質が低下する。
また、画像形成装置のクリーニング工程として、電子写真感光体に接触して弾性ブレードによって、電子写真感光体のドラム表面における未転写トナーを弾性ブレードで回収するクリーニング工程が行われている（例えば、特許文献１）。しかし、弾性ブレードによるクリーニング工程を有する画像形成装置では、弾性ブレードを一定の圧力で直接電子写真感光体の表面に接した状態で摺動させるため、感光体への機械的な負荷が大きく、感光体における感光層の摩擦量が大きくなり、複写枚数の増加とともに早期に帯電能や感度が悪化するという問題がある。また、このような画像形成装置は、弾性ブレードを有するクリーニング手段を具備するため、装置全体が大きくなり小型化が困難であった。
そこで、クリーニング工程において、弾性ブレードを使用せず、ブラシなどで転写後のトナーをほぐし、現像手段で回収する現像同時クリーニング方式が採用されている（例えば、特許文献２及び３）。
【特許文献１】特開２００２−２６８４９１号公報
【特許文献２】特開２０００−２０６７４５号公報
【特許文献３】特開平８−３０５０７４号公報
【発明の開示】
【発明が解決しようとする課題】
【０００３】
クリーニング工程において、弾性ブレードを用いない場合には、装置の小型化とともに、感光層の耐磨耗性が損なわれず、長寿命な画像形成装置を得ることができる。その一方、被転写材である用紙を所定のサイズに切断する際に生じた紙粉や、用紙が各種の搬送ローラを通過する際にローラとの摩擦等により発生した紙粉等が、電子写真感光体表面に静電引力や転写工程によって付着し、感光体からの紙粉の除去がきわめて困難となる。また、複写枚数を重ねるとともに、引き付けられた紙粉が、感光体の表面に強固に付着し、これに起因して、黒筋や黒点などの画像欠陥が生じやすいという問題がある。
本発明は、上記課題に鑑みなされたものであり、弾性ブレードを用いない画像形成装置において、紙粉に起因する黒筋、黒点等の画像欠陥を生じないランニング特性に優れた電子写真感光体を備えた画像形成装置を提供することを目的とする。
【課題を解決するための手段】
【０００４】
本発明の画像形成装置は、導電性基体上に、少なくとも電荷発生剤、正孔輸送剤及び電子輸送剤を含むバインダ樹脂により感光層が形成されてなる電子写真感光体と、該電子写真感光体を帯電させる帯電手段と、帯電された前記電子写真感光体に静電潜像を形成する露光手段と、静電潜像をトナーによって現像すると同時に、前記電子写真感光体の表面に残存するトナーを回収する現像手段と、該現像手段により現像された前記電子写真感光体のトナーを被転写部材に転写させる転写手段とを備える画像形成装置であって、
前記正孔輸送剤が、一般式（１）
【０００５】
【化１】
2005215264.tif 000002
【０００６】
（式中、Ｒ1 ，Ｒ2は同一または異なって水素原子またはアルキル基を示し、Ｒ3 、Ｒ4 、Ｒ5、及びＲ6は同一または異なって、水素原子、置換基を有しても良いアルキル基、置換基を有しても良いアリール基、置換基を有しても良いアルコキシ基またはハロゲン原子を示し、かつＲ1、Ｒ2、Ｒ3、Ｒ4、Ｒ5、およびＲ6のうち少なくとも１つは、炭素数４以上の脂肪族基である。ｍ、ｎ、ｐおよびｑは同一または異なって１または２である。）であることを特徴とする。
本発明の画像形成装置の実施形態の一つは、一般式（１）で表される化合の炭素数４以上の脂肪族基が、直鎖のアルキル基であることを特徴とする。
また、本発明の画像形成装置の他の実施形態は、前記単層型電子写真感光体において、結着樹脂１００重量部に対して一般式（１）で表される化合物を１０〜１１０重量部の割合で含有することを特徴とする。
【発明の効果】
【０００７】
本発明によれば、電子写真感光体に使用する正孔輸送剤として、一般式（１）で表される特定の化合物を使用することにより、クリーニングブレードを有していなくても、紙粉の電子写真感光体への付着自体を有効に低減させるとともに、一端付着した紙粉を容易に除去することができ、紙粉の付着に起因する黒筋や黒点などの画像欠陥を防止することができる。よって、ランニング特性に優れた画像形成装置を提供することが可能となる。
【０００８】
また、一般式（１）で表される化合物の、前記炭素数４以上の脂肪族基のうち少なくとも１つが、直鎖状のアルキル基であることより、より紙粉の電子写真感光体への付着自体を有効に低減させることができる。この理由としては電子写真感光体の微視的な表面性が、直鎖状のアルキル基によって変化するためと考えられる。
【０００９】
また、一般式（１）で表される化合物を電子写真感光体に結着樹脂１００重量部に対して１０〜１１０重量部の割合で含有することにより、電子写真感光体への紙粉付着の低減だけでなく、十分な光感度を有することができる。
【発明を実施するための最良の形態】
【００１０】
本発明の画像形成装置は、少なくとも、電子写真感光体と、帯電手段と、露光手段と、現像手段と、転写手段とを備えて構成される。また、本発明の画像形成装置は、電子写真感光体に残存したトナーを除去するために、ブレード等の感光体表面に感光体の磨耗をもたらすような押圧されるクリーニング部材を用いることのない、いわゆるクリーナーレス方式、言い換えると、現像手段により電子写真感光体の表面に残存するトナーを回収するクリーニング方式を採用する。
本発明の画像形成装置において、前記電子写真感光体は、導電性基体上に、少なくとも電荷発生剤および電荷輸送剤を含有する結着樹脂よりなる単層型電子写真感光体を形成する。当該感光体は有機感光体であり、従来の無機感光体に比べて製造が容易であり、コストが安く、電荷輸送剤、電荷発生剤、結着樹脂等の感光体材料の選択肢が多様で、機能設計の自由度が高いという利点を有する。有機感光体には、電荷輸送剤（ホール輸送剤、電子輸送剤）を電荷発生剤とともに同一の感光層中に分散させた単層型感光体と、電荷発生剤を含有する電荷発生層と電荷輸送剤を含有する電荷輸送層とを積層した積層型感光体とがあり、単層型感光体は層構成が簡単で生産性に優れている、層間の界面が少ないので光学的特性を向上できる。
以下に、本発明において使用する単層型電子写真感光体について説明する。＜ホール輸送剤＞
本発明における単層型電子写真感光体は、ホール輸送剤として一般式（１）で示されるトリフェニルアミン誘導体を含有するものである。
【００１１】
【化２】
2005215264.tif 000003
【００１２】
一般式（１）において、Ｒ１〜Ｒ6に相当する脂肪族基としては、アルキル基、アルコキシ基などが挙げられる。
前記アルキル基としては、例えばメチル、エチル、ｎ−プロピル、イソプロピル、ｎ−ブチル、イソブチル、ｓ−ブチル、ｔ−ブチル、ペンチル、イソペンチル、ネオペンチル、ヘキシル、へプチル、オクチル等の炭素数が１〜８のアルキル基があげられる。
前記アルキル基は置換基を有していてもよく、具体的にはヒドロキシアルキル基、アルコキシアルキル基、モノアルキルアミノアルキル基、ジアルキルアミノアルキル基、ハロゲン置換アルキル基、アルコキシカルボニルアルキル基、カルボキシアルキル基、アルカノイルオキシアルキル基、アミノアルキル基などがあげられる。
とりわけ、一般式(1)においては、電荷移動度を高めるという観点から、置換基としてアルコキシ基、モノアルキルアミノ基、アミノ基、ジアルキルアミノ基などの電子供与性基を有するアルキル基が好ましい。上記ヒドロキシアルキル基としては、例えばヒドロキシメチル、２−ヒドロキシエチル、１，１−ジメチル−２−ヒドロキシエチル、３−ヒドロキシプロピル、４−ヒドロキシブチル、２−ヒドロキシブチル、１−ヒドロキシペンチル、６−ヒドロキシヘキシル、１−ヒドロキシオクチルなどの、アルキル部分の炭素数が１〜８のヒドロキシアルキル基があげられる。
【００１３】
前記アルコキシアルキル基としては、例えばメトキシメチル、メトキシエチル、メトキシブチル、エトキシヘキシル、エトキシメチル、ブトキシエチル、ｔ−ブトキシヘキシル、ヘキシルオキシメチルなどの、アルキル部分およびアルコキシ部分の炭素数がいずれも１〜８であるアルコキシアルキル基があげられる。
前記モノアルキルアミノアルキル基としては、例えばメチルアミノメチル、エチルアミノメチル、ヘキシルアミノメチル、エチルアミノエチル、ヘキシルアミノエチル、メチルアミノプロピル、ブチルアミノプロピル、メチルアミノブチル、エチルアミノブチル、ヘキシルアミノブチル、メチルアミノヘキシル、エチルアミノヘキシル、ブチルアミノヘキシル、ヘキシルアミノヘキシル、オクチルアミノオクチルなどの、アルキル部分の炭素数が１〜８であるアルキルアミノアルキル基があげられる。
前記ジアルキルアミノアルキル基としては、例えばジメチルアミノメチル、ジエチルアミノメチル、ジヘキシルアミノメチル、ジエチルアミノエチル、ジヘキシルアミノエチル、ジメチルアミノプロピル、ジブチルアミノプロピル、ジメチルアミノブチル、ジエチルアミノブチル、ジヘキシルアミノブチル、ジメチルアミノヘキシル、ジエチルアミノヘキシル、ジブチルアミノヘキシル、ジヘキシルアミノヘキシル、ジオクチルアミノオクチルなどの、アルキル部分の炭素数が１〜８であるジアルキルアミノアルキル基があげられる。
上記アルコキシカルボニルアルキル基としては、例えばメトキシカルボニルメチル、メトキシカルボニルエチル、メトキシカルボニルヘキシル、エトキシカルボニルメチル、エトキシカルボニルエチル、プロポキシカルボニルメチル、イソプロポキシカルボニルメチル、ブトキシカルボニルメチル、ペンチルオキシカルボニルメチル、ヘキシルカルボニルメチル、ヘキシルカルボニルブチル、ヘキシルカルボニルヘキシル、オクチルカルボニルオクチルなどの、アルキル部分およびアルコキシ部分のいずれも炭素数が１〜８であるアルコキシカルボニルアルキル基があげられる。
【００１４】
上記カルボキシアルキル基としては、例えばカルボキシメチル、カルボキシエチル、カルボキシブチル、カルボキシヘキシル、１−メチル−２−カルボキシエチルなどの、アルキル部分の炭素数が１〜８であるカルボキシアルキル基があげられる。上記ハロゲン置換アルキル基としては、例えばモノクロルメチル、モノブロモメチル、モノヨードメチル、モノフルオロメチル、ジクロルメチル、ジブロモメチル、ジヨードメチル、ジフルオロメチル、トリクロルメチル、トリブロモメチル、トリヨードメチル、トリフルオロメチル、モノクロルエチル、モノブロモエチル、モノヨードエチル、モノフルオロエチル、ジブロモブチル、ジヨードブチル、ジフルオロブチル、クロルヘキシル、ブロモヘキシル、ヨードヘキシル、フルオロヘキシル、フルオロオクチルなどの、１〜３個のハロゲン原子が置換された炭素数１〜８のアルキル基があげられる。
【００１５】
前記アルカノイルオキシアルキル基としては、アセトキシメチル、２−アセトキシエチル、プロピオニルオキシメチル、１−ヘキサノイルオキシ−２−メチルペンチルなどの、炭素数２〜６のアルカノイル部分と、炭素数１〜８のアルキル部分とを有するアルカノイルオキシ基があげられる。上記アミノアルキル基としては、例えばアミノメチル、アミノエチル、アミノプロピル、アミノブチル、アミノヘキシル、アミノオクチルなどのアルキル部分の炭素数が１〜８であるアミノアルキル基があげられる。
一般式（１）において、Ｒ１〜Ｒ6に相当するアルコキシ基としては、例えばメトキシ、エトキシ、プロポキシ、イソプロポキシ、ブトキシ、ｔ−ブトキシ、ペンチルオキシ、ヘキシルオキシ、オクチルオキシ等の炭素数が１〜８のアルコキシ基があげられる。また、Ｒ１〜Ｒ6に相当するアルコキシ基 に相当するアルコキシ基は置換基を有していてもよく、その置換基としては、ハロゲン原子、アミノ基、ヒドロキシル基、カルボキシル基、アルカノイルオキシ基などの、前述のアルキル基と同様の置換基があげられる。
【００１６】
一般式（１）において、Ｒ3〜Ｒ6に相当するアリール基としては、例えばフェニル、ナフチル、アントリル、フェナントリルなどの基があげられる。前記アリール基およびは置換基を有していてもよく、かかる置換基としては、例えばハロゲン原子、アミノ基、ヒドロキシル基、エステル化されていてもよいカルボキシル基、シアノ基などの他、前述と同様の炭素数１〜８の置換基を有してもよいアルキル基や炭素数１〜８の置換基を有してもよいアルコキシ基などがあげられる。なお、これらの置換基の置換位置については特に限定されない。
【００１７】
前述のように、本発明において、一般式（１）中、Ｒ１、Ｒ２、Ｒ３、Ｒ５、およびＲ6のうち少なくとも一つは、炭素数４以上の脂肪族基であることを要する。とりわけ、Ｒ3、Ｒ4、Ｒ5およびＲ6のうち少なくとも１つが炭素数４以上の脂肪族基であることが好ましい。前記炭素数４以上の脂肪族基としては、前述した脂肪族基において炭素数が４以上のものが挙げられるが、特に炭素数４〜８のアルキル基またはアルコキシ基が好ましく、とりわけ炭素数４〜８のアルキル基が最も好ましい。その中でも特に炭素数４〜８の直鎖のアルキル基が最も好ましい。そのときの置換位置は、オルト、メタおよびパラ位を選択できるが、とりわけパラ位が置換されていることが紙粉の付着抑制により有効である。
クリーニングブレードを有しない画像形成システムにおいて、炭素数４〜８の脂肪族基を置換基として持つ、一般式（１）で示されるホール輸送剤が好ましい理由としては、炭素数４〜８のアルキル基があることで、一般式（１）で現されるトリフェニルアミン誘導体の炭素数が増加し、電荷輸送剤の有機性が増加するだけでなく、炭素数４〜８のアルキル基の存在が、感光層の微視的な表面性を変化させ、感光層に紙粉が付着しにくくなるため、と考えられる。このメカニズムとしては、感光層最表面の有機性の増加により、感光層最表面の極性が減少し、その結果、極性を持つ紙粉が感光層最表面に付着しにくくなると考えられる。
【００１８】
炭素数が増えることにより、有機性が増加する概念としては、無機性値／有機性値（以下、Ｉ／Ｏ値と呼ぶことがある）が挙げられる。Ｉ／Ｏ値は各種有機化合物の極性を有機概念的に取り扱った値であり、例えばＫＵＭＡＭＯＴＯ  ＰＨＡＲＭＡＣＥＵＴＩＣＡＬ  ＢＵＬＬＥＴＩＮ、第１号、第１〜１６項（１９５４年）；化学の領域、第１１巻、第１０号、７１９〜７２５頁（１９５７年）；フレグランスジャーナル、第３４号、第９７〜１１１頁（１９７９年）；フレグランスジャーナル、第５０号、第７９〜８２頁（１９８１年）；などの文献に詳細に説明されており、炭素（Ｃ）１個を有機性２０とし、それに対し各種極性基の無機性、有機性の値を定め、無機性値の和と有機性値との和を求め両者の比をとった値を意味する。
【００１９】
従って、分子の炭素数が増えるほど、有機性が増加し、極性が減少する結果となる。
一般式(1)で表される化合物には、置換基によって種々のトリフェニルアミン誘導体が含まれるが、以下のＨＴＭ−１〜ＨＴＭ−３３のトリフェニルアミン誘導体が好ましく例示される。これらの式において、Ｒは炭素数４以上の脂肪族基であることを示す。
【００２０】
【化３】
2005215264.tif 000004
【００２１】
【化４】
2005215264.tif 000005
【００２２】
【化５】
2005215264.tif 000006
【００２３】
前記の一般式（１）で表される化合物は、例えば特開平７−３２４０５９号公報に記載されている。
前記一般式（１）で表される化合物の含有量は、結合樹脂重量に対して１０〜１１０ｗｔ％であることが好ましく、３０〜８０ｗｔ％であることがより好ましい。
＜電荷発生剤＞  画像形成装置において、レーザを光源とする場合、小型・安価・簡便さ等の点から、多くは半導体レーザ、ＬＥＤが使用される。従って、少なくとも７００〜８５０ｎｍの波長領域に感度を有する有機感光体が必要である。前記要求を満たす、有機感光体に使用される電荷発生剤として、例えば、多環キノン化合物、ピリリウム化合物、スクエアリウム化合物、フタロシアニン系化合物、アゾ化合物等が提案または実用化されているが、本発明に使用する単層型電子写真感光体には、種々のフタロシアニン系化合物が使用される。
【００２４】
一般的にフタロシニン系化合物には、中心金属を有さないメタルフリーフタロシアニン（ＣＧＭ−1）と、近年研究開発が活発に行われている中心金属を有する金属フタロシアニンとに大別される。後者の例としては、チタニルフタロシアニン（ＣＧＭ−２）、及び、アルミニウムフタロシアニン、バナジウムフタロシアニン、カドミウムフタロシアニン、アンチモンフタロシアニン、クロムフタロシアニン、銅４−フタロシアニン、ゲルマニウムフタロシアニン、鉄フタロシアニン、クロロアルミニウムフタロシアニン、クロロインジウムフタロシアニン、クロロガリウムフタロシアニン、マグネシウムフタロシアニン、ジアルキルフタロシアニン、テトラメチルフタロシアニンあるいはテトラフェニルフタロシアニン等が挙げられる。またフタロシアニン系化合物には、α型、β型、γ型、δ型、ε型、σ型、ｘ型またはτ型等の結晶型のものがある。
【００２５】
＜ＣＧＭ−１＞
【００２６】
【化６】
2005215264.tif 000007
【００２７】
＜ＣＧＭ−２＞
【００２８】
【化７】
2005215264.tif 000008
【００２９】
本発明で使用する単層型電子写真感光体には、フタロシアニン系化合物として、メタルフリーフタロシアニン、またはチタニルフタロシニンが好適に使用される。また、フタロシアニン系化合物は、結合樹脂重量に対して１．０〜４．０ｗｔ％含有することが好ましい。
【００３０】
＜電子輸送剤＞  本発明で使用する単層型電子写真感光体に用いられる電子輸送剤としては、以下の化合物（ＥＴＭ−１、ＥＴＭ−２、ＥＴＭ−３、ＥＴＭ−４、ＥＴＭ−５、ＥＴＭ−６）などが好適に使用できる。これらの電子輸送剤は、例えば特開平１１−３０５４５６、特開平１０−２４６９７３、特開平１０−２４６９７５、特開平０８−２９５６５９、特開平０８−２９５６９２、特開平０９−１５１１５７に記載されている。
【００３１】
【化８】
2005215264.tif 000009
【００３２】
電子輸送剤の含有量は、結合樹脂重量に対して１０〜６０ｗｔ％、更には２０〜４０ｗｔ％が好ましい。
＜結合樹脂＞  前記各成分を分散させるための結合樹脂は、従来から感光層に使用されている種々の樹脂を使用することができる。
例えば、スチレン−ブタジエン共重合体、スチレン−アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、ポリエステル、アルキド樹脂、ポリアミド、ポリウレタン、ポリカーボネート、ポリアリレート、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。これらのバインダー樹脂は単独または二種類以上をブレンドして使用できる。
特に好適な樹脂としては、帝人化成（株）社製パンライト、三菱瓦斯化学（株）社製ＰＣＺ等のビスフェノールＺ型モノマーとホスゲンとから誘導されるビスフェノールＺ型ポリカーボネートが挙げられる。
前記例のバインダー樹脂の重量平均分子量は５，０００〜２００，０００、更には１５，０００〜１００，０００が好ましい。
【００３３】
本発明で使用する単層型電子写真感光体には、前記各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えば、テルフェニル、ハロナフトナフトキノン類、アセナフチレン等の公知の増感剤を電荷発生剤と併用してもよい。
前記単層型電子写真感光体においては、導電性基体と感光層との間に、感光体の特性を阻害しない範囲でバリア層が形成されていてもよい。
【００３４】
単層型電子写真感光体は、導電性基体上に単一の感光層を設けたものである。この感光層は、電荷発生剤、ホール輸送剤、電子輸送剤、結合樹脂等を適当な溶媒に溶解または分散させ、得られた塗布液を導電性基体上に塗布し、乾燥させることで形成される。
上記感光層が形成される導電性基体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、上記金属が蒸着またはラミネートされたプラスチック材料、ヨウ化アルミニウム、酸化スズ、酸化インジウム等で被覆されたガラス等があげられる。
導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。
【００３５】
前記感光層を塗布の方法により形成する場合には、前記例示のホール輸送剤、電荷発生剤、電子受容体、結着樹脂等を適当な溶剤とともに、公知の方法、例えば、ロールミル、ボールミル、アトライタ、ペイントシェーカー、超音波分散機等を用いて分散混合して分散液を調整し、これを公知の手段により塗布して乾燥させればよい。
上記分散液を作製するための溶剤としては、種々の有機溶剤が使用可能であり、例えば、メタノール、エタノール、イソプロパノール、ブタノール等のアルコール類、n−ヘキサン、オクタン、シクロヘキサン等の脂肪族系炭化水素、ベンゼン、トルエン、キシレン等の芳香族系炭化水素、ジクロロメタン、ジクロロエタン、クロロホルム、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等があげられる。これらの溶剤は単独で、または２種以上混合して用いられる。
【００３６】
更に、ホール輸送剤、電荷発生剤、電子受容体の分散性、感光層表面の平滑性を良くするために、界面活性剤、レベリング剤等を使用してもよい。
本発明における画像形成装置は、例えば、図１に示すように、感光体ドラム１の矢印方向に回転可能に配設されており、その回転方向に沿って、帯電手段２と、露光手段３と、現像手段４と、転写手段５とが配置されて構成される。
感光体ドラム１は、上述したような正孔輸送剤を含有する感光層が形成されている。
感光体ドラム１に対向し、接触しないように、所定の間隔を隔てて帯電手段２が配設されている。この帯電手段２は、例えば、タングステンなどの帯電用ワイヤからコロナ放電し、感光体ドラム１の表面を一様に所定の電位に帯電させることができる。なお、電子写真感光体の表面は、その初期帯電電位が、例えば、約８００Ｖ〜９００Ｖ程度になるように設定されている。
【００３７】
感光体ドラム１の回転方向において、帯電手段２の下流側に、露光手段３が配設されている。露光手段は、例えば、レーザービームの高速走査又はアナログ露光等を利用して、帯電した電子写真感光体１の表面に、所定の画像データに基づく静電潜像を形成することができる。このような露光によって、その感光体ドラム１の未露光部分において初期帯電電位が維持され、露光部分において、例えば、約１００Ｖ〜３００Ｖと、減衰される。
露光手段３のさらに下流側に、現像手段４が配設されている。現像手段４は、その内部において正帯電されているトナーを、帯電している電子写真感光体に形成された静電潜像、つまり、一様に帯電されている表面のうち、露光手段３によって露光され、電位が下がっている露光部分に供給し、選択的に電子写真感光体表面に担持することによって、可視像化する。なお、現像手段４として、例えば、２成分の磁気ブラシ現像方式等を採用することができる。また、本発明の画像形成装置においては、感光体ドラム１表面に残存したトナーは、次の現像の際に、現像手段４によって回収する、いわゆるクリーナーレス方式を採用している。
【００３８】
具体的には、現像手段４と感光体ドラム１との間に、例えば、現像バイアス印加電源により直流電圧の現像バイアスが印加される。この現像バイアス電圧は、通常、感光体ドラム１の露光部と未露光部の中間電位に設定される。この現像バイアス電位と感光体ドラム１の表面電位との電位差が、トナー移動エネルギーとなって、現像手段４から感光体ドラム１の表面の減衰した部分（潜像部分）にトナーが移動する。このとき、同時に感光体表面に残存して薄く付着している未転写トナーのうち、未露光部にあるものは、感光体ドラム１表面から現像手段４に移動して回収される。他方、露光部にあるものは、感光体ドラム１表面から現像手段に移動することなく、逆に現像手段４から露光部にトナーが移動し、感光体ドラム１表面にドナー像を形成する。
【００３９】
例えば、感光体ドラム１の表面電位が露光部で＋２００Ｖ、未露光部で＋８００Ｖであり、現像手段に印加される現像バイアスが＋４００Ｖであるとき、正帯電トナーには、露光部では現像手段４から感光体ドラム１へ＋２００Ｖの電位差による斥力が働く。また、未露光部では感光体ドラム１から現像手段４へ＋４００Ｖの電位差による斥力が働く。これらの電位差による斥力によって、トナーが移動し、潜像の現像とともに残存トナーの回収が行われる。
【００４０】
現像手段４のさらに下流側に、転写手段５が配設されている。転写する際には、被転写部材、例えば、用紙が、感光体ドラム１と転写手段５との間を通る間に、用紙に、感光体ドラム１に担持された可視像が転写されるとともに、この転写によって、感光体ドラム１の表面における未露光部分の転写後の帯電電位が、例えば、約５００Ｖ〜６００Ｖ程度に低下する。
【００４１】
この際の電子写真感光体と用紙との接触により、電子写真感光体の表面に、紙粉が付着するが、その付着した紙粉は、例えば、さらに下流に配設され、感光体ドラム１の表面に、その先端が接触した紙粉とりブラシ７によって物理的に絡めとられるものもある。また、紙粉とりブラシ７には、直流電源から印加されるバイアス電圧が印加され、このバイアス電圧によって、紙粉を電気的に捕捉してもよい。
被転写材７に転写されたトナー像は、その後、図示しない定着手段によって、熱及び圧力が加えられて、被転写材７表面に溶融定着する。
【００４２】
本発明の画像形成装置においては、上述した紙粉とりブラシ７は、通常、転写手段５と帯電手段２との間に設けられている。この紙粉とりブラシ７は、紙粉を除去する目的のみならず、感光体ドラム１の表面に残存した未転写トナーを分散し、感光体ドラム１表面電荷との静電結合を弱めるように機能させてもよい。これにより、弾性ブレード等によるクリーニング工程を経ずに、現像時に同時にトナーを回収するシステムを採用する装置であっても、現像時のトナーをより効率よく回収することができる。
【実施例】
【００４３】
以下、実施例、比較例をあげて本発明を説明する。なお、以下の実施形態は本発明を具体化した一例であって、本発明の技術的範囲を限定するものではない。
＜比較例１〜４および実施例１〜５＞
電荷発生剤としてＸ型無金属フタロシアニン（ＣＧＭ−１）２．５重量部、一般式（１−１）で示されるホール輸送剤をそれぞれ６５重量部、電子輸送剤（ＥＴＭ−１）として３５重量部、およびバインダー樹脂として重量平均分子量３０，０００のｂｉｓ−Ｚ型ポリカーボネート樹脂１００重量部、およびテトラヒドロフラン８００重量部を、ボールミル中で２４時間分散あるいは溶解させ、単層型感光層用塗布液を調合した。そして、この塗布液を、支持体としてのアルミニウム素管上にディップコート法にて塗布し、１２５℃、３０分間の熱風乾燥を行い、膜厚２０μｍの単一感光層を有する単層型感光体を作製した。
【００４４】
一般式（ＨＴＭ−１）：
【００４５】
【化９】
2005215264.tif 000010
【００４６】
（式中、Ｒは、水素原子、メチル基、エチル基、プロピル基、ブチル基、ペンチル基、ヘキシル基、へプチル基、またはオクチル基であり、いずれも直鎖状である。）
＜比較例５〜８および実施例６〜１０＞
上記実施例及び比較例のホール輸送剤を一般式（ＨＴＭ−２２）で示されるホール輸送剤に変更したこと以外は、上記実施例及び比較例と同様に行った。
一般式（ＨＴＭ−１）および一般式（ＨＴＭ−２２）の化合物は、特開２０００−２２１７１３号公報に記載されている。
【００４７】
一般式（ＨＴＭ−２２）：
【００４８】
【化１０】
2005215264.tif 000011
【００４９】
＜実施例１１〜１４＞
上記実施例２において、ホール輸送剤の添加部数を５部、１０部、１１０部または１２０部としたこと以外は上記実施例と同様に行った。
【００５０】
比較例１〜８および実施例１〜１４で得られた単層型電子写真感光体を、京セラミタ製のプリンタ（プリンタＤＰ−５６０）に装着した。転写紙として、普通紙（Ａ４サイズ）を使用し、主帯電電位を＋８５０Ｖ、現像バイアス電圧を＋４００Ｖに設定して、転写紙を通して反転現像による画像形成サイクルを繰り返し行い、１０万枚印字したときの感光体ドラムの紙粉付着個数（１ｍｍ２当たり）を測定し、かつ画像評価を目視にて行った。
【００５１】
それらの結果を表１と表２と表３に示す。
◎  画像上に黒点が観測されない。
○  画像上に黒点がわずかに観測されるが目立たず問題無いレベルである。
×  画像上に黒点が観測される。
【００５２】
【表１】
2005215264.tif 000012
【００５３】
【表２】
2005215264.tif 000013
【００５４】
【表３】
2005215264.tif 000014
【００５５】
この結果、一般式（ＨＴＭ−１）および一般式（ＨＴＭ−２２）において、Ｒが炭素数４以上のアルキル基を有する化合物をホール輸送剤として用いた単層型電子写真感光体を搭載した複写機は、除電手段を有していないにもかかわらず、長時間の運転後も感光体ドラムへの紙粉付着が抑制されている。また、画質が良好であった。
【産業上の利用可能性】
【００５６】
本発明の画像形成装置は、感光体ドラムへの紙粉付着が抑制されており、クリーニングブレードを有さないことから、電子写真式複写機、ファクシミリあるいはレーザービームプリンタ等に実用上、有利に利用できる。
【図面の簡単な説明】
【００５７】
【図１】本発明の画像形成装置の電子写真感光体の周辺を模式的に示した概略図である。
【符号の説明】
【００５８】
１  電子写真感光体
２  帯電手段
３  露光手段
４  現像手段
５  転写手段
６  除粉ブラシ
７  除電手段
【図１】
2005215264.tif 000017